【手続補正書】
【提出日】平成17年4月25日(2005.4.25)
【手続補正１】
【補正対象書類名】明細書
【補正対象項目名】全文
【補正方法】変更
【補正の内容】
【書類名】  明細書
【発明の名称】  毛細血管血液観察法及び自動測定装置
【特許請求の範囲】
【請求項１】
指先の爪上皮の毛細血管及び血液の流動状態を観察する装置であって、
複数の対物レンズを有する顕微鏡と、
青色フィルターを通して最適化された照射光を発するタングステンハロゲンランプと、
タングステンハロゲンランプの照射光の熱によって血流の平常状態を乱さないようにする手段と、
顕微鏡による観察結果を画像表示する表示手段とを備えた、
ことを特徴とする爪上皮の毛細血管観察装置。
【請求項２】
指先の爪上皮の毛細血管及び血液の流動状態を観察する装置であって、
複数の対物レンズを有する顕微鏡と、
青色フィルターを通して最適化された照射光を発するタングステンハロゲンランプと、
タングステンハロゲンランプの照射光の熱によって血流の平常状態を乱さないようにする手段と、
顕微鏡による観察結果を画像表示する表示手段と、
指先の爪上皮の毛細血管及び血液の流動状態を健康状態に応じて統計的に分類した標準パターンと、
上記表示手段によって表示された被検査者の爪上皮の毛細血管及び血液流動状態の画像を、上記標準パターンと比較する際の複数の観察測定項目であって、予め重み付けした得点が評価基準として設定された観察測定項目と、
上記評価基準による得点に応じて健康状態を判定するソフトウェアと、
上記標準パターン及び観察測定項目のデータ並びに上記判定用のソフトウェアを格納したコンピュータとを備え、
被検査者の観察画像を、コンピュータのモニター上で観察測定項目ごとに標準パターンと比較し、観察測定項目ごとに対応する得点を入力することにより、上記判定用のソフトウェアによって被検査者の健康状態を判定する、
ことを特徴とする爪上皮の毛細血管観察装置。
【請求項３】
上記血流の平常状態を乱さない手段は、指台に観察爪の指が載置されたときに、タングステンハロゲンランプを点灯させる一方、上記指が指台から離れたときにタングステンハロゲンランプを消灯させる点灯ボタンから成る、
請求項１もしくは２記載の装置。
【請求項４】
被検査者の健康状態を、ランク分けして評価する、
請求項２記載の装置。
【請求項５】
請求項１もしくは２記載の装置を使用する方法において、
被検査者の爪上皮に、ツェダーオイル、人工杉油等の観察用油を塗り、その表面に前記照射光を照射しつつ顕微鏡を介して爪上皮の毛細血管およびその血流を観察し、前記表示手段に表示させる、
ことを特徴とする爪上皮の毛細血管観察装置の使用方法。
【発明の詳細な説明】
【０００１】
【産業上の利用分野】
本発明は、指先の爪上皮を特製の対物レンズを通して、操作を簡略化した先進医学と先進科学の厳密な組み合わせにより、活動的な毛細血管を全面的に尚且つ確実な観察及び自動測定できる上、段階表示により健康状況を明確にし、医学基準と照合したアドバイスや忠告を発する機能を有している便利な携帯式装置である。
【０００２】
【従来の技術】
従来、毛細血管の観察や血液検査は以下のように実施されていた。
（１）病院の採血により、血液検査をする。
（２）医師免許のある人が採血し、パソコンの画像により血液の働きを確認する。
（３）指先の温度により、毛細血管の若さをチェックする。
（４）指先の爪上皮を顕微鏡の対物レンズを通して毛細血管の直径、血液速度、流量、血管密度などの連続的で動的な観測をする提案はされているが、未だ、商品化されていない。
【０００３】
【発明が解決しようとする課題】
従来の毛細血管の観察や血液検査の問題は医師の免許がなければ出来ない事である。一般の人々が家庭で簡略的な手段を用いて、健康状況を、継続的かつ確実に自己管理を行うことにより、以下の課題を解決できる。
（１）検査に行く時間や体力の無駄を解消でき、忙しい人や年寄に適する。
（２）検査結果がいち早くその場で判明する。
（３）自分自身及び家族の健康状況を間違いや拡大自信なく、血液及びすべての病気の早期発見する事ができる。
（４）ストレスや半病人なのに自覚症状が無い上、病院検査さえ発見できない場合でもチェックができ、健康長寿のアドバイスにより、万病の予防ができる。
（５）特製顕微鏡の対物レンズと観察用油を塗った爪上皮の所望の距離及び最適な光により、統計的に分類された標準パターンを参考にして、誰でも毛細血管及び流動する血液を明瞭尚且つ正確に観察測定できる利便さを提供する。
（６）総合判断を自動的に下す上、健康状態を客観的な数値の相対比較として総合判断し、かつ健康状況のランク分けにより、健康アドバイスを的確に提供することで一層の利便性を有する。
（７）年齢層に関係なく操作できる。携帯型パソコン（所謂ノート型パソコン）と組み合わせることにより軽量簡便で携帯可能となり誰でも、何処でも、何時でも使用できる毛細血管の観察測定装置である。
（８）ノートパソコンの操作ができ無い人、目が不自由な人及び検査結果が気になって医師と相談したい人の為に、本人の健康データやアドバイスなどをプリンタ機を通し、結果を印刷できる装置である。
【０００４】
【課題を解決するための手段】
上記目的を達成する為に本発明は、次の構成を備える。すなわち本装置は、指先の爪上皮の毛細血管及び血液の流動状態を観察する装置であって、
複数の対物レンズを有する顕微鏡と、
青色フィルターを通して最適化された照射光を発するタングステンハロゲンランプと、タングステンハロゲンランプの照射光の熱によって血液の平常状態を乱さないようにする手段と、
顕微鏡による観察結果を画像表示する表示手段とを備える。
また請求項２に係る装置は、指先の爪上皮の毛細血管及び血液の流動状態を観察する装置であって、
複数の対物レンズを有する顕微鏡と、
青色フィルターを通して最適化された照射光を発するタングステンハロゲンランプと、
タングステンハロゲンランプの照射光の熱によって血液の平常状態を乱さないようにする手段と、
顕微鏡による観察結果を画像表示する表示手段と、
指先の爪上皮の毛細血管及び血液の流動状態を健康状態に応じて統計的に分類した標準パターンと、
上記表示手段によって表示された被検査者の爪上皮の毛細血管及び血液流動状態の画像を、上記標準パターンと比較する際の複数の観察測定項目であって、予め重み付けした得点が評価基準として設定された観察測定項目と、
上記評価基準による得点に応じて健康状態を判定するソフトウェアと、
上記標準パターン及び観察測定項目のデータ並びに上記判定用のソフトウェアを格納
したコンピュータとを備える。そして、
被検査者の観察画像を、コンピュータのモニター上で観察測定項目ごとに標準パターンと比較し、
観察測定項目ごとに対応する得点を入力することにより、上記判定用のソフトウェアによって被検査者の健康状態を判定する。
血流の平常状態を乱さない手段は、指台に観察爪の指が載置されたときに、タングスハロゲンランプを点灯させる一方、上記指が指台から離れたときにタングステンハロゲンランプを消灯させる点灯ボタンから成る。
被保険者の健康状態は、ランク分けして評価される。
また本使用方法は、請求項１もしくは２記載の装置を使用する方法において、
被検査者の爪上皮に、ツェダーオイル、人工杉油等の観察用油を塗り、その表面に前記照射光を照射しつつ顕微鏡を介して爪上皮の毛細血管およびその血流を観察し、前記表示手段に表示させる点に特徴がある。
本発明は、大きな画面への画像表示と統計的に分類された標準パターンを比較し、それぞれの検査項目に重み付けした得点を配し、その合計得点により健康状況を把握する観察法と観察装置を提供するものである。操作の煩雑さを軽減した観察測定機に入力すると、被観察測定者の毛細血管を中心とした健康情況についての内容や検査得点等が確実に記憶保存される。その内容を、予め厳選分類されたデータと容易に比較し、印刷出力することも可能である。更に、その内容比較から医学基準と照合した忠告を発する機能を有していることにより健康管理を効率的に行うことが可能となる。本方法は特製顕微鏡や特製ソフト入りコンピュータを組み込んだ家庭様式として実現することは容易であり、簡易性・利便性・携帯性を供する独立した毛細血管観察測定機として具現することができる。
【０００５】次に、本発明の毛細血管の観察及び測定する方法及び観察測定器について、図1乃至図３を参照に説明する。尚、本発明に係わる内容とは、従来医療機器として医師など専門家が用いていた装置を、家庭内において一般の人々が使用できる装置である。しかも病気の早期発見だけではなく、疲労度等普段容易に分からない内容、いわゆる予防医学に関するすべての観察測定機能が含まれている。
【０００６】図１は本発明に係る装置全体の基本的な外観構成図を示す。特製顕微鏡は顕微鏡台（１０）と支柱（７）により全体をバランスよく支えられている。
【０００７】観察測定の際にタングステン−ハロゲンランプ用電源（１１）と撮影ビデオカメラ用電源（１２）を最初に入れ、安定した測定状態を保つ。タングステン−ハロゲンランプ光源には青色フィルターを入れることにより、より血液の観察が容易になる工夫がなされている。
【０００８】ビデオカメラ（１）と対物レンズ（３）及び（４）との適切な設定が観察測定する際の利便さに繋がる。
【０００９】観察用油を塗った被観察の指（８）を指台（９）に乗せ、調節ネジ（５）で鏡筒（２）を上下調節することにより、ビデオカメラ（１）及び１０倍の対物レンズ（３）、４倍の対物レンズ（４）を被観察の指上爪（８）と最適な観察距離とし、ビデオカメラにて毛細血管及び血液を撮像できるようになる。本発明に係る観察測定において、被観察指に観察用油を塗布することにより、従来不可能であった、鮮明な血管・血液像が得られることを見いだした。用いる観察用油としては、人体に無害でありまた透明性の優れるツェダーオイルや人工杉油などが適する。
【００１０】ビデオカメラ（１）で撮像した被観察の指上爪内部の血液状況などはビデオ信号（１３）に変換されて、観察測定システムに挿入されたビデオキャプチャーカード（１４）に入る。ビデオキャプチャーカードは、ビデオ信号をコンピュータに取りこむためのデジタル変換装置であり、カードあるいは基板型を用いることができる。
【００１１】ビデオキャプチャーカード（１４）を通して、デジタル信号化された映像は、パーソナルコンピュータ（１６）の画面（１７）にて画像表示される。本発明に係るパーソナルコンピュータは、据え置き型あるいはノート型を用いることが出来るが、携帯性の利便性からノート型パソコンが好適である。
【００１２】図２は本発明に係る基本的な外観構成図の指台（９）の正面図である。指（８）が指台（９）に置かれると、タングステン−ハロゲンランプ（９）が点灯する。これは観察指の点灯ボタン（１８）への接触により点灯する構成を有するもので、タングステン−ハロゲンランプの発熱時間を短くさせることで、より正常な血液を観察測定できる機能である。
【００１３】図２のように、台上にある目盛り（１９）は指（８）を指台（９）に置く際に、より性格な位置とするための機能を有する。
【００１４】図３は本発明に係る実施例の一例であり、ビデオ信号（１３）をビデオキャプチャーカード（１４）を介してパーソナルコンピュータ（１６）に取り込み、活動的な血液画像などが表示された画面（１７）を示す図である。以下に、観察測定の過程について詳細に説明する。
【００１５】図３の観察画像（２０）はビデオキャプチャーカード（１４）を通して得られた被観察の指上爪（８）の活動的な血管・血液の拡大像である。これを画面上の説明文（２２）を参考にしながら、観察測定基準とした参照図（２１）と比較し、判断結果記入欄（２３）に記入する。
【００１６】図３のように、前の画像をもう一度見たい場合は「前へ」戻るキー（２４）を、続いて観察測定するには「次へ」進むキー（２５）を、判断結果など記入間違いした場合は「訂正キー」を、もう最後になったか或はこの画面までで良い場合は「終了」キー（２７）を、マウス（図１の２８）等によって画面上のカーソル（図１の２９）を移動し、該当するキーをクリックすると該当機能が発現する。
【００１７】図３のように、本来パーソナルコンピュータのキーボード（１５）は本発明において、観察測定した数値などをマウスと一緒にキー入力できる機能を有する。
【００１８】図３のように、画面で観察測定でき、それぞれの検査項目には予め統計的な重み付けした得点を配しており、その合計得点はその場で、一目瞭然に知ることが出来る。また、図１のように、予め厳選分類された健康データと医学基準と照合したアドバイスなどは、プリンタ（３０）をつなげば、印刷出力することも可能である。【発明の効果】以上のように本発明は、簡易で確実な健康管理法であり、これを実現する血液観察測定により簡単な入力操作でその場で健康状況が分かり、全ての病気の早期発見に役に立てることができる。しかも厳選分類された健康状況判断から、得点や健康アドバイスにより、人力や時間及び金銭的な節約ができ、従来自分自身の健康管理の放置や知識不足による勘違いを解消する最も有効なものである。また、携帯式家庭用装置なので、随時観察測定ができる便利さにより、現代人の不健康生活が解消する役割も本発明の重要な効果である。
【図面の簡単な説明】
【図１】本発明に係る基本的な外観構成図である。
【図２】本発明に係る外観構成図の一部一指台の図である。
【図３】本発明に係る実施した一例を示す画面の図である。
【符号の説明】
１−ビデオカメラ
２−鏡筒
３−１０倍対物レンズ
４−４倍対物レンズ
５−調節ネジ
６−タングステン−ハロゲンランプ
７−支柱
８−指
９−指台
１０−顕微鏡台
１１−ランプ用電源
１２−ビデオカメラ用電源
１３−ビデオ信号
１４−ビデオキャプチャーカード
１５−入力キーボード
１６−パーソナルコンピュータ
１７−画面
１８−点灯ボタン
１９−メモリ
２０−観察画像
２１−参照図
２２−説明文
２３−判断結果
２４−「前へ」戻るキー
２５−「次へ」進むキー
２６−「訂正」キー
２７−「終了」キー
２８−マウス
２９−カーソル
３０−プリンター